(57)【要約】ディスク様データキャリア（１）の洗浄される表面（１ａ）を洗浄するための方法において、自己接着性層を有するフィルム（４）は、データキャリア（１）の洗浄される汚染された表面（１ａ）に適用され、その後再び除去され、上記の汚染物は、その後、上記の表面（１ａ）から、上記のフィルム（４）の除去により取り除かれる。
2005521188.tif 000002
【特許請求の範囲】
【請求項１】
光学読取可能ディスク様データキャリアの洗浄される表面を洗浄する方法であって：
洗浄手段として、自己接着性コーティングを少なくとも一つのフィルム表面に有するフィルムを使用し、
前記の自己接着性コーティングを有するフィルムを、前記の洗浄されるデータキャリアの表面に適用し、且つ、
前記の適用されたフィルムを、前記のデータキャリアの洗浄される表面から除去する、
ことを特徴とする方法。
【請求項２】
前記フィルムは、該フィルムに結合されたプルタブにより、前記データキャリアの洗浄される前記表面から除去されることを特徴とする請求項１に記載の方法。
【請求項３】
前記データキャリアの幾何学的寸法を実質的に有するフィルムを使用することを特徴とする請求項１又は２に記載の方法。
【請求項４】
前記フィルムとしてプラスティック製フィルムを使用することを特徴とする請求項１又は２に記載の方法。
【請求項５】
洗浄されるデータキャリアの表面を洗浄するフィルムであって、
当該フィルムは、少なくとも一つのプルタブに結合されていることを特徴とするフィルム。
【請求項６】
当該フィルムは、更なるフィルムの多重的なフィルムスタック状にスタックされていることを特徴とする請求項５に記載のフィルム。
【請求項７】
前記フィルム及び前記フィルムに近接する前記の各フィルムは、フィルムの前記プルタブが前記の近接するそれぞれのフィルムの前記プルタブに対してオフセットとなるように配置されるように、該フィルムの軸に関連して互いに角オフセットにてスタックされていることを特徴とする請求項６に記載のフィルム。
【発明の詳細な説明】
【技術分野】
【０００１】
本発明は、洗浄される光学読取可能ディスク型データキャリアの表面を洗浄する方法に係り、特にＣＤ又はＤＶＤのための洗浄方法に関する。
【背景技術】
【０００２】
かかるデータキャリアは、非常に一般的であり、データ（音樂、フィルム、コンピュータデータ）の保存及び／又は読取に使用される。かかるデータキャリア上に保存されたデータの読取又はデータの保存又はかかるデータキャリアへの書込は、レーザー装置により行われる。データキャリアの表面上の指紋、汚物又はその他の外来物は、データの読取又は書込に逆行的な効果を有するか阻止さえしてしまう。
【０００３】
上述の通り汚染されたデータキャリアの表面を洗浄する公知の方法において、柔軟なクリーニング用クロスを使用することにより、洗浄される表面は、例えば内側から外側へと円形のパターンにて拭き取られる。かかる乾式洗浄方法の一つの欠点は、クリーニング用クロスと洗浄される表面との相対的な移動により、データの読取又は書込において欠点である表面の引っ掻きを導く可能性がある、という点である。
【０００４】
かかるデータキャリアを洗浄するための更なる公知の方法において、実際の洗浄が行われた後に、洗浄流動体が洗浄されるデータキャリアの表面に適用される。この洗浄の後、乾燥される。これら方法は通常、装置内で行われ、手動及び自動のいずれであってもよい。かかる湿式洗浄方法の一つの欠点は、相対的に複雑な取り扱いであり、且つ、効果的な装置を使用することである。さらなる欠点は、上記の洗浄流動体は、ヒトの皮膚を刺激したり損傷する可能性のある揮発性媒体からなる、という点である。加えて、データキャリアが洗浄される周辺の空気を汚染するガスを形成する可能性もある。
【発明の開示】
【発明が解決しようとする課題】
【０００５】
本発明の目的は、上述の欠点を消失させることであり、光学読取可能ディスク様データキャリアを洗浄する向上された方法を達成することである。
【課題を解決するための手段】
【０００６】
この目的は、本発明に従った方法が以下に規定されるように特徴付けられるように、本発明に従った特徴を有する本発明に従った方法により達成される。
【０００７】
光学読取可能ディスク様データキャリアの洗浄される表面を洗浄する方法は、先行手段として、少なくとも一つのフィルム表面において、自己接着性コーティングを有するフィルムを用い、自己接着性コーティングを有するフィルムは、洗浄されるデータキャリアの表面に適用され、且つ、適用されたフィルムは、その後、データキャリアの洗浄される表面から除去される。
【０００８】
本発明に従った特徴を提供することにより、非常に簡便な様式にて、且つ、簡便な手段にて、ディスク様データキャリアの洗浄される表面を洗浄することが達成される。特別な利点は、データキャリアの洗浄される表面の洗浄は、引っ掻き又はダメージを有することなく、簡便な手段にて実行される点である。さらなる利点は、例えば、指紋で汚染されている場合、指紋を形成している粒子の分散が起こらない点である。さらなる利点は、データキャリアの洗浄に含まれる直近の環境又はヒトにダメージを与えない点である。
【０００９】
本発明による方法において、請求項２による特徴が提供されている場合、特に利点が向上される。データキャリアの洗浄される表面に適用した後、フィルムは簡単に除去可能である。
【００１０】
さらに、上述に加えて請求項３による特徴が提供されている場合、特に利点が向上される。このことは、洗浄されるデータキャリアの表面にフィルムを適用及び表面からフィルムを除去することの両方により促進する。
【００１１】
本発明のこれら及びその他の態様は、以下に述べる実施例に対する参照文により明らかにされ、且つ詳述されるであろう。
【発明を実施するための最良の形態】
【００１２】
図１は、光学読取可能プレート様又はディスク様データキャリア１を示しており、データキャリア１は、公知のＣＤであり、ＣＤ−ＲＯＭ、ＣＤ−Ｒ、ＣＤ−ＲＷ、ＤＶＤ、ＤＶＤ＋ＲＷ、ビデオＣＤなどであってもよい。データキャリア１は、表面１ａを有しており、この表面を介してデータキャリア１に保存されたデータが読み取られ、或いは、データキャリア１がその軸１ｂの周囲で回転されるように駆動されている場合データキャリア１へとデータが書き込まれる。データキャリア１の読取又は書込は、レーザー装置（図示せず）を介して行う。表面１ａ上には、例えば、指紋２及び／又は汚染粒子３など、データキャリア１の不正確な取り扱いにより発生する汚染物が存在する。この汚染物は、レーザー装置によりデータキャリア１の読取又は書込に対して、負若しくは高度に破壊的な効果又は阻害的な効果を有している。
【００１３】
図２は、軸１ｂに共軸の自己接着性層を有するフィルム４が適用された表面上のデータキャリア１を示している。この場合のフィルム４は、データキャリア１と同様の径を有しており、データキャリア１にフィルム４を適用するのに利点を有する。しかしながら、フィルム４のサイズは、異なって選択されてもよいことも明らかである。しかしながら、フィルム４は、表面１ａの一部を少なくともカバーすべきであり、ここを介して、データの書込及び読取を行う。自己接着性層を有するフィルム４は、例えば、３Ｍ社製のブランド名「Ｓｃｏｔｃｈ」にて利用可能なフィルムであってもよい。自己接着層の同様の特性を有するその他のフィルムには、例えば、Ｔｅｓａ社製の自己接着性フィルムを利用してもよい。
【００１４】
さらに、フィルム４は、タブ５を有し、フィルム４の一端に結合されており、データキャリア１の上方に突出しているプルタブを形成している。タブ５は、表面１ａからフィルム４を簡便に除去する機能を有しており、好ましくは非自己接着性層を有している。例えば、図３に示したように、データキャリア１の表面１ａからフィルム４を除去すると、上記の汚染物は、フィルム４に接着し、所望の洗浄効果を達成する。
【００１５】
プルタブは、追加部品としてフィルム４に結合されていてもよい。
【００１６】
フィルム４は、凹部を有していてもよく、データキャリア１の洗浄される表面１ａに対してフィルム４を適用することにより、データキャリア１の凹部、特に中心のホールに存在させてもよい。このことは、フィルム４の適用及び除去に関してデータキャリア１の取り扱いを促進する。
【００１７】
フィルム４は、角張った形状（三角形、正方形、四角形、多角形）又は円形の形状を有していてもよく、フィルム４の角又はフィルム４のリング様外周領域は、データキャリア１の端部を超えて突出していてもよく、プルタブを形成していてもよい。
【００１８】
フィルム４は、データキャリア１の表面１ａ上に一時的に残存されていてもよく、例えば、取り扱い、移動及びデータキャリア１の保存中、引っ掻き又は汚染に対して一時的な防御性を与える。
【００１９】
フィルム４は、例えば、フィルム４の使用に関する指示や広告などのマーキングを有していてもよい。この場合において新規のフィルム４を使用しないことは、互いの上にフィルムスタックをスタックされてもよく、且つ、これらの自己接着性層により、互いに分離可能に結合されてもよいということである。フィルム４は、フィルム４のタブがフィルムスタックにおけるこのフィルムの上方又は下方に存在するフィルム４のタブに対してオフセットに配置されるように、これらのフィルムの軸に関連して互いに角度的にオフセットにスタックされてもよく、フィルムスタックからフィルム４の除去を容易にする。
【００２０】
フィルム４は、簡便に除去可能なキャリア上の個々に設けられてもよい。キャリアは、ストリップとして形成されてもよく、キャリア上に連続して配置されたフィルム４として形成されてもよい。
【００２１】
本発明に従った方法に関するさらなる実施例において、自己接着性層を有するフィルム４は、円筒体の円筒表面上に適用されてもよい。データキャリアの洗浄される表面の洗浄は、洗浄される表面上にてこの円筒表面を回転することにより行い、その後、フィルム４の自己接着性層は、表面と接触する。
【図面の簡単な説明】
【００２２】
【図１】洗浄される汚染されたデータキャリアを示す。
【図２】図１に従った、洗浄されるデータキャリアを示し、表面を洗浄するため、データキャリアの洗浄される表面にフィルムが適用される。
【図３】図１に従ったデータキャリアを示し、フィルムの除去にて発生している状態における洗浄用のフィルムを示す。
【図１】
2005521188.tif 000003
【図２】
2005521188.tif 000004
【図３】
2005521188.tif 000005
【国際調査報告】
2005521188.tif 000006
2005521188.tif 000007